(57)【要約】【課題】  耐衝撃性に優れ、光の高利用効率を有し、小型軽量、薄型、かつ、安価な面状照明装置１２０を提供する。【解決手段】  本発明に係る面状照明装置１２０は、ＬＥＤ用ＦＰＣ基板１２２と、ＬＥＤ用ＦＰＣ基板１２２上に直接に電気的に接続固定され、ＬＥＤ用ＦＰＣ基板１２２側とは反対側に発光する白色ＬＥＤ１２１と、白色ＬＥＤ１２１からの光が側端面から入射するように設けられた導光板１２３と、を有し、ＬＥＤ用ＦＰＣ基板１２２は、導光板１２３の側端面に接触するように固定されている。【選択図】図１
2005294172.tif 000002
【特許請求の範囲】
【請求項１】
光源用フレキシブル印刷回路基板と、
上記光源用フレキシブル印刷回路基板上に直接に電気的に接続固定され、該光源用フレキシブル印刷回路基板側とは反対側に発光する光源と、
上記光源からの光が側端面から入射するように設けられた導光板と、
を有する面状照明装置であって、
上記光源用フレキシブル印刷回路基板は、上記導光板の側端面に接触するように固定されている面状照明装置。
【請求項２】
請求項１に記載された面状照明装置において、
上記光源が、発光ダイオードである面状照明装置。
【請求項３】
請求項１に記載された面状照明装置において、
上記導光板には、上記光源を収納する光源収納部が形成されている面状照明装置。
【請求項４】
請求項１に記載された面状照明装置において、
上記光源は、上記導光板の側端面に接触するように設けられている面状照明装置。
【請求項５】
請求項１に記載された面状照明装置において、
上記光源用フレキシブル印刷回路基板の上記導光板との接触面が光反射面に構成されている面状照明装置。
【請求項６】
請求項１に記載された面状照明装置において、
上記光源用フレキシブル印刷回路基板と上記導光板の側端面とは薄手の両面テープにより固定されており、
上記両面テープは、無色透明性を有する材料で形成されている面状照明装置。
【請求項７】
請求項１に記載された面状照明装置において、
上記光源用フレキシブル印刷回路基板は、その幅が上記導光板の最大厚み以下である面状照明装置。
【請求項８】
請求項１乃至６の面状照明装置を備えた表示装置。
【発明の詳細な説明】
【技術分野】
【０００１】
本発明は、面状照明装置及びこれを使用した表示装置に関するものである。
【背景技術】
【０００２】
近年、携帯電話をはじめとする液晶応用商品では小型軽量化が強く要求されており、その要求に伴い液晶表示装置及びこれに用いられる面状照明装置自体の小型軽量化及び薄型化が要求されている。
【０００３】
従来の面状照明装置は、白色の発光ダイオード（以下、「ＬＥＤ」と略すことがある。）や冷陰極蛍光管（ＣＣＦＴ：Ｃｏｌｄ  Ｃａｔｈｏｄｅ  Ｆｌｕｏｒｅｓｃｅｎｔ  Ｔｕｂｅ）などの光源と、その光源から一定の距離をあけて（空気を介して）設けられる導光板とを備えており、光源から出射される光はその導光板の所定の光入射面から入射された後、導光板全体に拡散されることにより所定面（照明面）から面状に放射される。
【０００４】
図５は、このような従来の面状照明装置２２０を有する液晶表示装置２００の構成を示す概略断面図である。
【０００５】
この液晶表示装置２００は、液晶表示装置２００の筐体を構成する樹脂フレーム２１０と、その内側周縁部分を遮光シート２３０で樹脂フレーム２１０によって固定された液晶表示パネル２４０（以下、「液晶表示パネル」のことを「ＬＣＤパネル」とする。）と、ＬＣＤパネル２４０に接続するように樹脂フレーム２１０に固定され、ＬＣＤパネル２４０の動作を制御するパネル信号取り出し用ＦＰＣ基板２５０と、ＬＣＤパネル２４０と樹脂フレーム２１０との間に介設された面状照明装置２２０と、樹脂フレーム２１０の周縁部分に設けられ、液晶表示装置２００の外枠を形成するベゼル２６０と、を有する。
【０００６】
また、面状照明装置２２０は、樹脂フレーム２１０に固定されたＬＥＤ用フレキシブル印刷回路基板２２２（以下、「フレキシブル印刷回路」を「ＦＰＣ」と略すことがある。）と、ＬＥＤ用ＦＰＣ基板２２２の上に直接に電気的に接続固定された白色ＬＥＤ２２１と、白色ＬＥＤ２２１からの光が側端面から入射するように設けられた導光板２２３と、導光板２２３の背面に設けられた反射シート２２４と、導光板２２３とＬＣＤパネル２４０との間に設けられた集光フィルム類２２５と、からなる。
【０００７】
液晶表示装置２００では、白色ＬＥＤ２２１から出射された光は、導光板２２３に入射し、導光板２２３の内部で拡散され、ＬＣＤパネル２４０方向に面状の光として出射される。その導光板２２３から出射された面状光は、集光フィルム類２２５によってさらに拡散集光され、ＬＣＤパネル２４０全体に入射するように構成されている。従って、液晶表示装置２００では、ＬＣＤパネル２４０全体に白色ＬＥＤ２２１から出射した光が入射し、ＬＣＤパネル２４０の表示領域より画像パターンを表示することができる。
【０００８】
この液晶表示装置２００では、液晶表示装置２００に衝撃が加わった場合に白色ＬＥＤ２２１と導光板２２３等とが衝突し、白色ＬＥＤ２２１とＬＥＤ用ＦＰＣ基板２２２とが断線することを防止するため、白色ＬＥＤ２２１と導光板２２３とは、離隔して設置されている。しかし白色ＬＥＤ２２１とＬＥＤ用ＦＰＣ基板２２２とが離隔して配置されている場合は、白色ＬＥＤ２２１と導光板２２３との位置合わせが困難であり、白色ＬＥＤ２２１と導光板２２３とを高精度に面状照明装置２２０内の所望の位置に組み込むことが困難であるという問題がある。
【０００９】
また、このような液晶表示装置２００では、白色ＬＥＤ２２１と導光板２２３とが一体化されていないため、外部からの衝撃や振動等によって、白色ＬＥＤ２２１と導光板２２３との相対位置ズレが発生する可能性が高い。白色ＬＥＤ２２１と導光板２２３との相対位置ズレが発生した場合は、白色ＬＥＤ２２１から導光板２２３へ入射する光の光量が低下し、液晶表示装置２００の輝度が低下するという問題がある。
【００１０】
また、液晶表示装置２００では、白色ＬＥＤ２２１と導光板２２３とは、離隔して設置されているため、白色ＬＥＤ２２１の光出射面と導光板２２３の光入射面との間に空気層が介在する。従って、白色ＬＥＤ２２１から出射した光は、白色ＬＥＤ２２１と導光板２２３との間に介在する空気層を透過して導光板２２３に入射する。しかし、空気層と導光板２２３とは、相互に屈折率が大きく異なるため、空気層と導光板２２３との界面による光反射率が高い。従って、液晶表示装置２００では、光の利用効率が悪く、輝度が低いという問題がある。
【００１１】
このような問題に鑑みて、特許文献１には、光源と導光板とを空気より大きい屈折率を有し、弾力性を有する物質を介して固定一体化した液晶表示装置が提案されている。
【００１２】
図６は、特許文献１に記載された面状照明装置３２０を有する液晶表示装置３００の構成を示す概略断面図である。
【００１３】
この液晶表示装置３００は、光源である白色ＬＥＤ３２１と、これらの光源からの光を所定面（照明面）から面状に放出する導光体としての導光板３２３と、筐体を構成する樹脂フレーム３１０と、半田により白色ＬＥＤ３２１を実装するＬＥＤ用ＦＰＣ基板３２２と、反射シート３２４と、レンズシートや光拡散シート等からなる集光フィルム類３２５と、ＴＦＴ基板及びＣＦ基板等からなり、遮光シート３３０により樹脂フレーム３１０に接着されたＬＣＤパネル３４０と、このＬＣＤパネル３４０からの信号を外部へ取り出すためのパネル信号取り出し用ＦＰＣ基板３５０とを備える。
【００１４】
導光板３２３と白色ＬＥＤ３２１との隙間には弾力性のある樹脂からなる樹脂層３２６が形成されている。このことにより、白色ＬＥＤ３２１からの光が導光板３２３へ効率よく入射され、かつ（落下衝撃等で）白色ＬＥＤ３２１が導光板３２３や樹脂フレーム３１０と衝突することにより生じる白色ＬＥＤ３２１の脱落や配線の切断などの故障の発生を未然に防止することができる、と記載されている。
【００１５】
また、この液晶表示装置３００では、白色ＬＥＤ３２１と導光板３２３との間に空気より大きい屈折率を有する樹脂層３２６が設けられている。従って、空気層と導光板３２３との間の屈折率差より、樹脂層３２６と導光板３２３との屈折率差の方が小さくなるため、導光板３２３の光入射面による光反射率が比較的小さくなる。よって、導光板３２３の光入射面による光反射量が低減し、導光板３２３に入射する光の量が増加する。従って、高輝度な液晶表示装置３００を実現することができる、と記載されている。
【特許文献１】特願２００３−０２８４９８号公報
【発明の開示】
【発明が解決しようとする課題】
【００１６】
しかしながら、このような従来の液晶表示装置３００では、光源として、ＬＥＤ用ＦＰＣ基板３２２に接続する面と直行する側面から光を発するサイドビュー方式の白色ＬＥＤ３２１を使用しているため、光源用ＦＰＣ基板３２２と白色ＬＥＤ３２１とを液晶表示装置３００の高さ方向に積層する必要がある。そのため、液晶表示装置３００では、反射シート３２４と集光フィルム類３２５との間に、白色ＬＥＤ３２１の層厚及びＬＥＤ用ＦＰＣ基板３２２分の層厚分のスペースを確保する必要がある。従って、液晶表示装置３００では、面状照明装置３２０の薄型化に不利であるという問題がある。
【００１７】
また、液晶表示装置３００では、白色ＬＥＤ３２１と導光板３２３との間、及び白色ＬＥＤ３２１と樹脂フレーム３１０との間に樹脂層３２６を介設する必要があるため、液晶表示装置３００の部材点数が増加し、また、製造工程も複雑化するため、製造に高コストを要するという問題がある。
【００１８】
本発明は、かかる点に鑑みてなされたものであり、その目的とするところは、耐衝撃性に優れ、光の高利用効率を有し、小型軽量、薄型、かつ安価な面状照明装置及びこれを用いた表示装置を提供することにある。
【課題を解決するための手段】
【００１９】
本発明に係る面状照明装置は、光源用フレキシブル印刷回路基板と、
上記光源用フレキシブル印刷回路基板上に直接に電気的に接続固定され、該光源用フレキシブル印刷回路基板側とは反対側に発光する光源と、
上記光源からの光が側端面から入射するように設けられた導光板と、
を有し、
上記光源用フレキシブル印刷回路基板は、上記導光板の側端面に接触するように固定されている。
【００２０】
本発明に係る面状照明装置では、光源用ＦＰＣ基板が導光板の側端面に固定されている。すなわち、光源と光源用ＦＰＣ基板とは面状照明装置の平面方向に並列に積層して配設され、相互に固定されている。従って、本発明に係る面状照明装置は、光源用ＦＰＣ基板と導光板とを面状照明装置の高さ方向に積載する従来の構成よりも薄型化に有利である。
【００２１】
また、本発明にかかる面状照明装置では、光源が電気的に接続固定された光源用ＦＰＣ基板と導光板とが相互に固定されている。すなわち、光源と光源用ＦＰＣ基板と導光板とは固定一体化されている。従って、面状照明装置に衝撃が加えられた場合であっても光源と光源用ＦＰＣ基板との間で断線等が生じる可能性は少なく、また、光源と導光板との相対位置ズレも発生しない。従って、衝撃耐久性の高い面状照明装置を実現することができる。
【００２２】
また、本発明に係る面状照明装置は、光源が、発光ダイオードであっても構わない。
【００２３】
発光ダイオードは、従来光源として広く用いられてきた冷陰極蛍光管等と比較して、安価であり消費電力も少なく、小型軽量、薄型である。従って、この構成によれば、小型軽量、薄型であり、消費電力が少なく、かつ安価である面状照明装置を実現することができる。
【００２４】
また、本発明に係る面状照明装置は、上記導光板には、上記光源を収納する光源収納部が形成されていても構わない。
【００２５】
この構成によれば、光源は、導光板に設けられた光源収納部に収納されている。そのため、光源が導光板の側端面から突き出して配置されることはなく、小型かつ軽量の面状照明装置を実現することができる。
【００２６】
また、本発明に係る面状照明装置は、上記光源は、上記導光板の側端面に接触するように設けられているものであっても構わない。
【００２７】
この構成によれば、光源が導光板の側端面に接触するように設けられている。すなわち、光源の発光面と導光板の側端面とが空気を介さずに完全に密着している。よって、従来の光源と導光板とを離隔して配置する構成と比較して、光源の発光面と導光板の側端面との間における光の反射が抑制される。従って、この構成によれば、光源と導光板とを離間して配設する構成と比較して、より光の高利用効率を有する面状照明装置を実現することができる。また、この構成によれば、光源と導光板とが接触するように設けられているため、光源と導光板との位置決めが比較的容易であり、面状照明装置内の所望の位置に正確に光源と導光板とを配置することができる。
【００２８】
また、本発明に係る面状照明装置は、上記光源用フレキシブル印刷回路基板の上記導光板との接触面が光反射面に構成されていても構わない。
【００２９】
この構成によれば、光源から導光板に入射し、導光板内で導光を繰り返すことにより光源用ＦＰＣ基板方向に出射された光は、光反射面に構成された光源用ＦＰＣ基板の導光板との接触面により導光板方向に反射される。光源用ＦＰＣ基板により反射された光は導光板に再度入射し、導光板により拡散され面状照明装置から出射する。従って、光源から出射される光の利用効率を向上することができ、より光の高利用効率を有する面状照明装置を実現することができる。
【００３０】
また、本発明に係る面状照明装置は、上記光源用フレキシブル印刷回路基板と上記導光板の側端面とは薄手の両面テープにより固定されており、
上記両面テープは、無色透明性を有する材料で形成されていても構わない。
【００３１】
この構成によれば、光源用ＦＰＣ基板と導光板の側端面とは安価な両面テープにより接着されている。従って、安価な面状照明装置を実現することができる。
【００３２】
また、この構成によれば、光源用ＦＰＣ基板と導光板の側端面とは極薄の両面テープにより接着されている。従って、小型軽量な面状照明装置を実現することができる。ここで、薄手の両面テープとは、その厚みが１００μｍ以下である両面テープのことをいう。より好ましい両面テープの厚みは５０μｍ以下である。
【００３３】
また、この構成によれば、光反射面に構成されている光源用ＦＰＣ基板と導光板とを接着している両面テープは透明性を有する材料で構成されている。よって、光反射面に構成されている光源用ＦＰＣ基板の導光板の側端面との接触面へ入射し、その接触面によって反射される光の両面テープによる光吸収を抑制することができる。よって、光源用ＦＰＣ基板方向に出射した光が高い反射率で反射され、導光板に再入射するため、光の利用効率が高い。従って、光の高利用効率を有する面状照明装置を実現することができる。
【００３４】
また、本発明に係る面状照明装置は、上記光源用フレキシブル印刷回路基板は、その幅が上記導光板の最大厚み以下であっても構わない。
【００３５】
光源用ＦＰＣ基板の幅が導光板の最大厚みより大きい場合は、光源用ＦＰＣ基板が導光板から突き出した構成となるが、この構成によれば、光源用ＦＰＣ基板は、導光板から突き出すことはなく、より薄型な面状照明装置を実現することができる。
【００３６】
本発明に係る表示装置は、本発明に係る面状照明装置を備えたものである。
【００３７】
上述のように、本発明に係る面状照明装置は、耐衝撃性に優れ、光の高利用効率を有し、小型軽量、薄型であり、かつ安価に製造することができるものである。従って、本発明によれば、耐衝撃性に優れ、光の高利用効率を有し、小型軽量、薄型、かつ、安価な表示装置を実現することができる。
【００３８】
尚、本発明に係る表示装置は、何ら表示形式を限定するものではなく、例えば、表示形式が液晶表示形式等であっても勿論構わない。
【発明の効果】
【００３９】
以上説明したように、本発明によれば、光源と光源用ＦＰＣ基板とを液晶表示装置の平面方向に接着固定することができるので、高い耐衝撃性、光の高利用効率、薄型化、及び低コストを実現することができる。
【発明を実施するための最良の形態】
【００４０】
以下、本発明の実施形態を図面に基づいて詳細に説明する。
【００４１】
図１は、本発明に係る面状照明装置１２０の概略平面図である。
【００４２】
図２は、図１中のＩＩで示す部分の概略断面図である。
【００４３】
図３は、図１中のＩＩＩで示す部分の概略拡大斜視図である。
【００４４】
面状照明装置１２０は、ＬＥＤ用ＦＰＣ基板１２２と、ＬＥＤ用ＦＰＣ基板１２２上に半田１２６によって直接に電気的に接着固定され、ＬＥＤ用ＦＰＣ基板１２２側とは反対側に発光するトップビュー方式の白色ＬＥＤ１２１と、白色ＬＥＤ１２１からの光が側端面から入射するように設けられた導光板１２３と、導光板１２３の背面に設けられた反射シート１２４と、導光板１２３の上に配設された集光フィルム類１２５（図示せず）と、面状照明装置１２０の筐体を形成する樹脂フレーム１１０とからなる。
【００４５】
尚、集光フィルム類１２５は、説明の便宜上図１〜３には描画していない。また、図１〜３には、３個の白色ＬＥＤ１２１を描画しているが、これは単なる例示であり、面状照明装置１２０の有する白色ＬＥＤ１２１の数量は何ら限定されるものではない。
【００４６】
樹脂フレーム１１０は、面状照明装置１２０の筐体を構成するものであり、面状照明装置１２０の機械的強度を担保する機能を有する。樹脂フレーム１１０の材料は、何ら限定されるものではないが、例えば、光高反射グレードの帝人化成製パンライト（商標）であるＬＤ−１０００ＲＭやＬＮ−１０００ＲＭといったポリカーボネート樹脂等を用いることができる。
【００４７】
集光フィルム類１２５は、レンズシートや光拡散シート等からなり、導光板１２３から出射された光を面状照明装置１２０の有効発光領域全体に均一に拡散集光する機能を有する。
【００４８】
白色ＬＥＤ１２１は、光源としての機能を有するものであり、半田１２６によってＬＥＤ用ＦＰＣ基板１２２に直接に電気的に接続固定されている。白色ＬＥＤ１２１は、従来面状照明装置の光源として広く用いられてきた冷陰極蛍光管等と比較して、小型軽量、薄型で、消費電力も少なく、かつ安価である。従って、光源として白色ＬＥＤ１２１を用いることにより小型軽量、薄型で、消費電力も少なく、かつ安価な面状照明装置１２０を実現することができる。しかし、光源は何ら白色ＬＥＤに限定されるものではなく、光源は、例えば、有機エレクトロルミネッセンス素子、プラズマ光源等の公知の光源により構成することができる。
【００４９】
また、白色ＬＥＤ１２１は、ＬＥＤ用ＦＰＣ基板１２２側とは反対側に発光する、いわゆるトップビュー方式のＬＥＤである。よって、ＬＥＤ用ＦＰＣ基板１２２を導光板１２３の側端面に固定し、ＬＥＤ用ＦＰＣ基板１２２と導光板１２３とは面状照明装置１２０の平面方向に積層するように配置することができる。従って、ＬＥＤ用ＦＰＣ基板１２２側と直行する方向に発光するサイドビュー方式のＬＥＤを光源として用いる場合のように、その光源とＬＥＤ用ＦＰＣ基板１２２とを面状照明装置１２０の高さ方向に積層して配置することを要さず、より薄型な面状照明装置１２０を実現することができる。
【００５０】
ＬＥＤ用ＦＰＣ基板１２２は、白色ＬＥＤ１２１の制御回路を備え、柔軟性を有する基板である。ＬＥＤ用ＦＰＣ基板１２２は、例えば銅箔等の導電性金属層の配線をポリイミド等の耐熱性・耐薬品性・電気絶縁性・機械強度・柔軟性を有する樹脂により被覆することにより形成することができる。
【００５１】
また、面状照明装置１２０では、ＬＥＤ用ＦＰＣ基板１２２の導光板１２３との接触面１２８が光反射面に構成されている。よって、導光板１２３に入射し、導光板１２３内で導光を繰り返すことによりＬＥＤ用ＦＰＣ基板１２２方向に出射された光は、光反射面に構成された接触面１２８により導光板１２３方向に反射される。ＬＥＤ用ＦＰＣ基板１２２によって反射された光は導光板１２３に再度入射し、導光板１２３により拡散反射され面状照明装置１２０から出射する。よって、白色ＬＥＤ１２１から出射される光の利用効率を向上することができる。従って、光の高利用効率を有する面状照明装置１２０を実現することができる。
【００５２】
光反射面に構成されている接触面１２８は、例えば、ＬＥＤ用ＦＰＣ基板１２２上に、Ａｇ、Ａｌ、白色の樹脂、又はポリエステル系樹脂の多層膜構造を有するＥＳＲ（Ｅｎｈａｎｃｅｄ  Ｓｕｐｅｃｕｌａｒ  Ｒｅｆｌｅｃｔｏｒ）シート等を公知の成膜方法により成膜することにより形成することができる。尚、ＬＥＤ用ＦＰＣ基板１２２上には半田１２６により白色ＬＥＤ１２１が電気的に接続されているため、接触面１２８は、電気絶縁性の材料である白色の樹脂等からなる薄膜により形成することが好ましい。また、面状照明装置１２０の光の利用効率の観点から光反射面に構成されている接触面１２８は、その光反射率が９０％〜１００％であることが好ましく、また、光の反射率が１００％に近いほどより好ましい。
【００５３】
また、面状照明装置１２０では、ＬＥＤ用ＦＰＣ基板１２２は、その幅が導光板１２３の最大厚み以下に構成されている。よって、ＬＥＤ用ＦＰＣ基板１２２が導光板１２３から突き出すことはなく、より薄型の面状照明装置１２０を実現することができる。
【００５４】
また、面状照明装置１２０では、導光板１２３とＬＥＤ用ＦＰＣ基板１２２とは両面テープ１２７により接着固定されている。また、上述のように、白色ＬＥＤ１２１とＬＥＤ用ＦＰＣ基板１２２とは半田１２６により相互に接着固定されている。従って、白色ＬＥＤ１２１とＬＥＤ用ＦＰＣ基板１２２と導光板１２３とは相互に固定一体化されている。よって、面状照明装置１２０に衝撃が加えられた場合においても、白色ＬＥＤ１２１が導光板１２３等に衝突し、白色ＬＥＤ１２１とＬＥＤ用ＦＰＣ基板１２２との間が断線すること、及び白色ＬＥＤ１２１と導光板１２３との相対位置がずれることを効果的に防止することができる。従って、高い衝撃耐久性を有する面状照明装置１２０を実現することができる。
【００５５】
また、導光板１２３と、ＬＥＤ用ＦＰＣ基板１２２とは、安価な両面テープ１２７により固定一体化されているため、導光板１２３とＬＥＤ用ＦＰＣ基板１２２とを容易にかつ安価に接着固定することができる。よって、安価な面状照明装置１２０を実現することができる。
【００５６】
また、両面テープ１２７は、その厚みが１００μｍ以下と薄手のものに構成されている。従って、小型軽量な面状照明装置１２０を実現することができる。
【００５７】
また、両面テープ１２７は、無色透明性を有する材料により構成されている。よって、導光板１２３からＬＥＤ用ＦＰＣ基板１２２方向に出射した光は両面テープ１２７により光吸収されることなく、光反射面に構成されているＬＥＤ用ＦＰＣ基板１２２の接触面１２８により導光板１２３方向に高効率で反射される。従って、光の高利用効率を有する面状照明装置１２０を実現することができる。尚、両面テープ１２７に用いることができる無色透明性を有する材料は、何ら限定されるものではないが、例えば、透明性のポリエステルフィルム基材にアクリル系の粘着剤を塗布したもの等が挙げられる。また、両面テープ１２７は、接触面１２８の光反射率の観点から、その光透過率が９５％〜１００％であることがより好ましく、また、光透過率が１００％に近いほどより好ましい。
【００５８】
導光板１２３は、白色ＬＥＤ１２１から出射された光を受光し、受光した光を導光板全体に導光し、面光源化する機能を有する。導光板１２３の材料としては、何ら限定されるものではないが、例えば、三菱エンジニアリングプラスティックス製アクリライトＥ（商標）のようなアクリル樹脂や、出光石油化学製タフロン（商標）＃１７００のようなポリカーボネート樹脂等を使用することができる。
【００５９】
この導光板１２３には側端面に白色ＬＥＤ１２１を収納するためのＬＥＤ収納部１２９が設けられている。従って、白色ＬＥＤ１２１が導光板１２３の側端面から突き出して配置されることはなく、小型かつ軽量の面状照明装置１２０を実現することができる。
【００６０】
また、面状照明装置１２０では、白色ＬＥＤ１２１の光出射面１２１ａは導光板１２３の側端面に接触するように設けられている。よって、面状照明装置１２０を製造する際に、白色ＬＥＤ１２１と導光板１２３との相対位置を容易に位置決めすることができる。従って、面状照明装置１２０は、その製造が容易である。
【００６１】
また、面状照明装置１２０では、白色ＬＥＤ１２１の光出射面１２１ａは導光板１２３の側端面に接触しており、光出射面１２１ａと導光板１２３の側端面との間に空気を介在しない。よって、光出射面１２１ａと導光板１２３の側端面との間に空気層を介在している場合と比較して、光出射面１２１ａと導光板１２３の側端面との間における白色ＬＥＤ１２１からの発光の反射が抑制される。従って、より光の高利用効率を有する面状照明装置１２０を実現することができる。
【００６２】
また、面状照明装置１２０では、ＬＥＤ収納部１２９は、その形状が白色ＬＥＤ１２１の形状と略同一に形成されている。よって、白色ＬＥＤ１２１は、ＬＥＤ収納部１２９に嵌合するように収納されている。従って、白色ＬＥＤ１２１と導光板１２３とはより強固に固定されており、面状照明装置１２０に衝撃や振動等が加わった場合であっても、白色ＬＥＤ１２１と導光板１２３との相対位置ズレ、及び白色ＬＥＤとＬＥＤ用ＦＰＣ基板１２２との間の断線等を効果的に防止することができる。
【００６３】
導光板１２３の底面には、白色ＬＥＤ１２１から導光板１２３に入射した光の方向をＬＣＤパネル１４０の方向に反射するための反射シート１２４が設けられている。この反射シート１２４は、何ら限定されるものではなく、例えば白色ＰＥＴ（白色ポリエチレンテレフタレート）等が用いられる。
【００６４】
図４は、本発明に係る液晶表示装置１００の概略断面図である。
【００６５】
この液晶表示装置１００は、液晶表示装置１００の筐体を構成する樹脂フレーム１１０と、遮光シート１３０により樹脂フレーム１１０に、その周縁部分が固定されたＬＣＤパネル１４０と、ＬＣＤパネル１４０に接続するように、樹脂フレーム１１０により固定されたパネル信号取り出し用ＦＰＣ基板１５０と、樹脂フレーム１１０の周縁部分に設けられ、液晶表示装置１００の外枠を形成するベゼル１６０と、ＬＣＤパネル１４０の下に設けられ、ＬＣＤパネル１４０に光を供給する面状照明装置１２０とを有する。
【００６６】
ベゼル１６０は、液晶表示装置１００の外枠を形成するものである。ベゼル１６０の材料は、何ら限定されるものではないが、例えば、ブリキやステンレス等の金属を用いることができる。
【００６７】
パネル信号取り出し用ＦＰＣ基板１５０は、ＬＣＤパネル１４０の制御回路を備え、柔軟性を有する基板である。パネル信号取り出し用ＦＰＣ基板１５０は、例えば銅箔等の導電性金属層の配線をポリイミド等の耐熱性・耐薬品性・電気絶縁性・機械強度・柔軟性を有する樹脂により被覆することにより形成することができる。
【００６８】
ＬＣＤパネル１４０は、遮光シート１３０により樹脂フレーム１１０に接着固定されている。ＬＣＤパネル１４０の構成は何ら限定されるものではなく、公知のＬＣＤパネルを用いることができる。
【００６９】
上述の通り、面状照明装置１２０は、耐衝撃性に優れ、光の高利用効率を有し、小型軽量、薄型であり、かつ安価に製造することができるものである。
【００７０】
従って、このような面状照明装置１２０を用いることによって、耐衝撃性に優れ、光の高利用効率を有し、小型軽量、薄型、かつ、安価な液晶表示装置１００を実現することができる。
【００７１】
尚、本実施例では、本発明にかかる表示装置の例として、表示形式が液晶表示形式である液晶表示装置１００を挙げたが、何らこれに限定されるものではない。
【図面の簡単な説明】
【００７２】
【図１】本発明に係る面状照明装置１２０の概略平面図である。
【図２】図１のＩＩで示す部分の概略断面図である。
【図３】図１のＩＩＩで示す部分の概略拡大斜視図である。
【図４】本発明に係る液晶表示装置１００の概略断面図である。
【図５】従来の面状照明装置２２０を有する液晶表示装置２００の構成を示す概略断面図である。
【図６】特許文献１に記載された面状照明装置３２０を有する液晶表示装置３００の構成を示す概略断面図である。
【符号の説明】
【００７３】
１００、２００、３００  液晶表示装置
１１０、２１０、３１０  樹脂フレーム
１２０、２２０、３２０  面状照明装置
１２１、２２１、３２１  白色ＬＥＤ
１２１ａ  光出射面
１２２、２２２、３２２  ＬＥＤ用ＦＰＣ基板
１２３、２２３、３２３  導光板
１２４、２２４、３２４  反射シート
１２５、２２５、３２５  集光フィルム類
１２６  半田
１２７  両面テープ
１２８  接触面
１２９  ＬＥＤ収納部
１３０、２３０、３３０  遮光シート
１４０、２４０、３４０  ＬＣＤパネル(液晶表示パネル)
１５０、２５０、３５０  パネル信号取り出し用ＦＰＣ基板
１６０、２６０、３６０  ベゼル
３２６  樹脂層
【図１】
2005294172.tif 000003
【図２】
2005294172.tif 000004
【図３】
2005294172.tif 000005
【図４】
2005294172.tif 000006
【図５】
2005294172.tif 000007
【図６】
2005294172.tif 000008